(57)【要約】【課題】従来のものに比べ、目的位置を精度良く特定するとともに指示できるナビゲーションシステム装置を提供する。【解決手段】ナビゲーションシステム装置１は、案内の目標又は目的となる対象物の位置を示す対象物位置情報１７Ａと、形状を示す対象物形状情報１７Ｂとを記憶する記憶部１７と、外部から取得した位置情報及び進行方向から現在位置及び進行方向を判定する現在位置判定部１５と、撮像して得られた複数の映像から対象物となりうる物体像を抽出し、物体像の相対位置を測定する映像物体位置測定部１８と、現在位置判定部１５が判定した現在位置及び進行方向と位置情報とから対象物の相対位置を算出し、物体像と対象物の相対位置とが一致するとともに、対象物形状情報１７Ｂと物体像の形状とが一致するとき物体像が対象物であると判定する対象物判定部１４と、対象物を映像において強調表示するハイライト表示・ナビ情報生成部１３とを有する。【選択図】図２
2010197209.tif 000002
【特許請求の範囲】
【請求項１】
案内の目標又は目的となる対象物の位置を示す位置情報と、前記対象物の形状を示す形状情報と、前記対象物に付帯する情報を示す付帯情報とを記憶する記憶部と、
外部から取得した自己の位置情報及び方向情報から前記自己の現在位置及び進行方向を判定する現在位置判定部と、
撮像して得られた複数の映像から前記対象物となりうる物体像を抽出し、前記自己と前記物体像との相対位置を測定する映像物体像位置測定部と、
前記現在位置判定部が判定した前記自己の現在位置及び前記進行方向と前記対象物の位置情報とから前記自己と前記対象物の相対位置を算出し、前記物体像の相対位置と前記対象物の相対位置とが一致するとともに、前記形状情報と前記物体像の形状とが一致するとき前記物体像が前記対象物になるものであると判定する対象物判定部と、
前記対象物と判定された前記物体像を前記映像において強調表示する強調表示生成部とを有することを特徴とするナビゲーションシステム装置。
【請求項２】
前記対象物判定部は、前記物体像の前記相対位置と前記対象物の前記相対位置とが一致するとともに、前記付帯情報と前記物体像の付帯情報とが一致するとき前記物体像が前記対象物であると判定することを特徴とする請求項１に記載のナビゲーションシステム装置。
【請求項３】
前記対象物判定部は、前記物体像の前記相対位置と前記対象物の前記相対位置とが一致するとともに、前記形状情報と前記物体像の形状とが一致せず、前記付帯情報と前記物体像の付帯情報とが一致しないとき、前記映像中で最も大きな物体像を前記対象物であると判定することを特徴とする請求項２に記載のナビゲーションシステム装置。
【発明の詳細な説明】
【技術分野】
【０００１】
本発明は、ナビゲーションシステム装置に関する。
【背景技術】
【０００２】
カメラで撮影された映像中から目的位置を特定し、画像等を用いて利用者にその目的位置を指示するナビゲーションシステム装置が知られている。
【０００３】
例えば、特許文献１のナビゲーションシステム装置は、利用者の視野に近い視野角で撮像するカメラと、カメラによって撮影された映像を表示する表示部と、現在位置を取得するＧＰＳと、利用者が指定した目的位置と現在位置との位置関係を算出して、カメラが撮影した映像の中に目的位置が現れると矢印等の指示画像を用いてその目的位置を指示する制御部とを有するため、利用者に地図と実際の風景とを見比べる作業をさせることなく案内することができる。
【先行技術文献】
【特許文献】
【０００４】
【特許文献１】特開２００７−２９２７１３号公報
【発明の概要】
【発明が解決しようとする課題】
【０００５】
本発明の目的は、従来のものに比べ、目的位置を精度良く特定するとともに指示できるナビゲーションシステム装置を提供することにある。
【課題を解決するための手段】
【０００６】
［１］  案内の目標又は目的となる対象物の位置を示す位置情報と、前記対象物の形状を示す形状情報と、前記対象物に付帯する情報を示す付帯情報とを記憶する記憶部と、外部から取得した自己の位置情報及び方向情報から前記自己の現在位置及び進行方向を判定する現在位置判定部と、撮像して得られた複数の映像から前記対象物となりうる物体像を抽出し、前記自己と前記物体像との相対位置を測定する映像物体像位置測定部と、前記現在位置判定部が判定した前記自己の現在位置及び前記進行方向と前記対象物の位置情報とから前記自己と前記対象物の相対位置を算出し、前記物体像の相対位置と前記対象物の相対位置とが一致するとともに、前記形状情報と前記物体像の形状とが一致するとき前記物体像が前記対象物になるものであると判定する対象物判定部と、前記対象物と判定された前記物体像を前記映像において強調表示する強調表示生成部とを有することを特徴とするナビゲーションシステム装置を提供する。
【０００７】
上記した構成によれば、映像中の物体像の相対位置とともに、形状情報に基づいて物体像を対象物として判定するため、目的位置としての対象物を精度良く特定するとともに指示できる。
【発明の効果】
【０００８】
本発明によれば、従来のものに比べ、目的位置を精度良く特定するとともに指示できる。
【図面の簡単な説明】
【０００９】
【図１】本発明の実施の形態に係るナビゲーションシステム装置の構成例を示す概略図である。
【図２】本発明の実施の形態に係るナビゲーションシステム装置の構成例を示す概略図である。
【図３Ａ】本発明の実施の形態に係るナビゲーションシステム装置の画面表示例を示す概略図である。
【図３Ｂ】本発明の実施の形態に係るナビゲーションシステム装置の画面表示の他の例を示す概略図である。
【図３Ｃ】本発明の実施の形態に係るナビゲーションシステム装置の画面表示の他の例を示す概略図である。
【図４】本発明の実施の形態に係るナビゲーションシステム装置の動作例を示すフローチャートである。
【発明を実施するための形態】
【００１０】
（ナビゲーションシステム装置の構成）
図１は、本発明の実施の形態に係るナビゲーションシステム装置の構成例を示す概略図である。
【００１１】
ナビゲーションシステム装置１は、自動車等の乗り物に設置される本体１０と、自動車の運転手が視認できる位置に設置された表示画面１１Ａと、所定の幅を設けて設置された複数のカメラ２０ａ及び２０ｂとを有し、カメラ２０ａ及び２０ｂによって撮像された映像とともに、後述するナビ情報を表示画面１１Ａに表示することで利用者に道案内し、道案内の際に用いる目標物や目的地等をハイライト表示する。また、カメラ２０ａ及び２０ｂは、利用者の視野に視野角で自動車の前方を撮影する。
【００１２】
図２は、本発明の実施の形態に係るナビゲーションシステム装置の構成例を示す概略図である。
【００１３】
ナビゲーションシステム装置１は、表示画面１１Ａに映像を表示する表示部１１と、カメラ２０ａ及び２０ｂによって撮像された映像とナビ情報及びハイライト表示画像を合成する映像合成部１２と、ナビ情報及びハイライト表示をを生成するハイライト表示・ナビ情報生成部１３と、後述する各情報に基づいて目標物や目的地等になり得る対象物を判定する対象物判定部１４と、後述するＧＰＳ（Ｇｌｏｂａｌ  Ｐｏｓｉｔｉｏｎｉｎｇ  Ｓｙｓｔｅｍ）１６Ａとセンサ１６Ｂから入力される情報に基づいて現在位置を判定する現在位置判定部１５と、衛星を用いた測位システムであるＧＰＳ１６Ａと、自動車の進行方向や動きを測定するジャイロセンサや車速センサ等であるセンサ１６Ｂと、対象物位置情報１７Ａと対象物形状情報１７Ｂと対象物付帯情報１７Ｃとを格納する記憶部１７と、カメラ２０ａ及び２０ｂが撮像した映像に基づいて映像中の物体像の自動車からの位置を測定する映像物体位置測定部１８と、カメラ２０ａ及び２０ｂから映像を取得し、映像物体位置測定部１８及び映像合成部１２に出力する映像取得部１９と、カメラ２０ａ及び２０ｂとを有する。
【００１４】
映像合成部１２、ハイライト表示・ナビ情報生成部１３、対象物判定部１４、現在位置判定部１５、映像物体位置測定部１８は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）等において動作してもよいし、それぞれハードウェアによって構成されてもよい。
【００１５】
対象物位置情報１７Ａは、案内に用いられる目標物や目的地になり得る対象物の位置情報である。対象物形状情報１７Ｂは、対象物の幅、奥行、高さ等の形状に関する情報である。対象物付帯情報１７Ｃは、対象物に付随するロゴマーク、文字列、色に関する情報である。
【００１６】
図３Ａは、本発明の実施の形態に係るナビゲーションシステム装置の画面表示例を示す概略図である。
【００１７】
表示映像１１０Ａは、表示画面１１Ａに表示される映像であり、例えば、道案内において交差点を右折するとき表示され、道案内において右折する必要のある交差点に所在する目標物としての対象物１１１ａと、対象物１１１ａに焦点を当てるためのハイライト表示１１１と、右折を案内する矢印状のナビ情報１１２とを有する。
【００１８】
対象物１１１ａは、カメラ２０ａ及び２０ｂによって撮像された映像から対象物判定部１４によって幅ａ及び高さｂを測定され、これらの値が対象物形状情報１７ａに一致するとき、対象物判定部１４によって、目標物としての対象物と判定され、ハイライト表示１１１及びナビ情報１１２が表示される。
【００１９】
図３Ｂは、本発明の実施の形態に係るナビゲーションシステム装置の画面表示の他の例を示す概略図である。
【００２０】
表示映像１１０Ｂは、表示画面１１Ａに表示される映像であり、図３Ａと同様に、例えば、道案内において交差点を右折するとき表示され、道案内において右折する必要のある交差点に所在する目標物としての対象物１１１ｂと、対象物１１１ｂに付帯する看板等である付帯情報１１１ｃと、ハイライト表示１１１と、ナビ情報１１２とを有する。
【００２１】
対象物１１１ｂは、カメラ２０ａ及び２０ｂによって撮像された映像から対象物判定部１４によって付帯情報１１１ｃを検出され、付帯情報１１１ｃが対象物付帯情報１７ｂに一致するとき、対象物判定部１４によって、目標物としての対象物と判定され、ハイライト表示１１１及びナビ情報１１２が表示される。
【００２２】
図３Ｃは、本発明の実施の形態に係るナビゲーションシステム装置の画面表示の他の例を示す概略図である。
【００２３】
表示映像１１０Ｃは、表示画面１１Ａに表示される映像であり、図３Ａ及び３Ｂと同様に、例えば、道案内において交差点を右折するとき表示され、道案内において右折する必要のある交差点に所在する目標物としての対象物１１１ｄと、ハイライト表示１１１と、ナビ情報１１２とを有する。
【００２４】
対象物判定部１４は、カメラ２０ａ及び２０ｂによって撮像された映像から図３Ａに示すように対象物の幅ａ及び高さｂを測定し、これらの値が対象物形状情報１７ａに一致せず、また図３Ｂに示すように付帯情報１１１ｃを検出し、付帯情報１１１ｃが対象物付帯情報１７ｂに一致しないとき、映像中の対象物付近で最も大きい対象物を目標物としての対象物１１１ｄとし、ハイライト表示１１１及びナビ情報１１２を表示する。なお、大きさに限らず、目立つ色調を有する物体像や、形状に特徴を有する物体像を対象物１１１ｄとして認識してもよい。
【００２５】
（動作）
以下に、本発明の一実施の形態におけるナビゲーションシステム装置の動作を各図を参照しつつ説明する。
【００２６】
まず、利用者はナビゲーションシステム装置１の図示しない操作部に対して入力操作し、目的地を入力する。目的地を設定されると、ナビゲーションシステム装置１は、現在位置から目的地への案内経路を検索し、利用者によって案内経路が決定されると、案内を開始する。
【００２７】
ナビゲーションシステム装置１は、カメラ２０ａ及び２０ｂによって撮影された映像にハイライト表示１１１やナビ情報１１２を表示して経路を案内するが、その詳細な動作について以下に説明する。
【００２８】
図４は、本発明の実施の形態に係るナビゲーションシステム装置の動作例を示すフローチャートである。
【００２９】
まず、対象物判定部１４は、ＧＰＳ１６Ａ及びセンサ１６Ｂによって得られた情報に基づいて現在位置判定部１５が判定した現在位置を取得する（Ｓ１）。次に、対象物判定部１４は、対象物位置情報１７Ａを参照し、次の目標物又は目的地となる対象物の位置情報と現在位置との相対位置を算出する（Ｓ２）。
【００３０】
次に、映像取得部１９は、カメラ２０ａ及び２０ｂによって撮像された複数の映像を取得し（Ｓ３）、映像物体位置測定部１８は、取得された複数の映像から映像中の物体像と自動車との相対位置を測定する（Ｓ４）。
【００３１】
対象物判定部１４は、ステップＳ２及びＳ４で得られた相対位置を比較し、一致するとき（Ｓ５；Ｙｅｓ）、映像中の物体像が対象物らしいと判断してステップＳ６へ進む。また、一致しないとき（Ｓ５；Ｎｏ）、映像中の物体像は対象物でないと判断してステップＳ３へ戻る。なお、ここで一致とは、予め定めた誤差の範囲にそれぞれの相対位置が存在することである。
【００３２】
次に、対象物判定部１４は、映像中の物体像の形状、例えば、高さ及び幅を、図３Ａに示すように測定し（Ｓ６）、測定した物体像の形状が対象物形状情報１７Ｂに一致するとき（Ｓ７；Ｙｅｓ）、物体像が対象物であると判断して、ハイライト表示・ナビ情報生成部１３に対象物のハイライト表示を生成するよう指示し、ハイライト表示・ナビ情報生成部１３は、ハイライト表示を生成する（Ｓ８）。また、同様にハイライト表示・ナビ情報生成部１３にナビ情報を生成するよう指示し、ハイライト表示・ナビ情報生成部１３は、ナビ表示を生成する（Ｓ９）。なお、ステップＳ７において一致とは、予め定めた誤差を許容し、また、形状が相似形である場合であってもよい。
【００３３】
次に、映像合成部１２は、映像取得部１９において取得された映像上に、ステップＳ８及びＳ９において生成された情報を合成し（Ｓ１０）、表示部１１の表示画面１１Ａに表示する（Ｓ１１）。
【００３４】
また、ステップＳ７において、測定した物体像の形状が対象物形状情報１７Ｂに一致しないとき（Ｓ７；Ｎｏ）、映像中の物体像の付帯情報、例えば、看板の文字やロゴ、又は配色等を抽出し（Ｓ１２）、抽出した付帯情報が対象物付帯情報１７Ｃに登録された内容と一致するとき（Ｓ１３；Ｙｅｓ）、ステップＳ８以降を実行する。
【００３５】
また、ステップＳ１３において、抽出した付帯情報が対象物付帯情報１７Ｃに登録された内容と一致しないとき（Ｓ１３；Ｎｏ）、映像中の物体像のうち最も大きい物体像を対象物として認識し（Ｓ１４）、ステップＳ８以降を実行する。
【００３６】
（実施の形態の効果）
上記した実施の形態によると、対象物の位置情報、形状情報及び付帯情報に基づいて映像中の物体像が対象物か否かを判定するため、目的位置としての対象物を精度良く特定することができるとともに、対象物をハイライト表示することで利用者が実際に目にする風景と同様の映像によってわかりやすく案内を提示することができる。
【００３７】
［他の実施の形態］
なお、本発明は、上記実施の形態に限定されず、本発明の趣旨を逸脱しない範囲で種々な変形が可能である。例えば、対象物をハイライト表示する手法に限らず、対象物を示すことができれば矢印やイラストを用いたり、明度や彩度等を変更する画像処理技術等を用いても良い。
【００３８】
また、上記実施の形態で使用される映像合成部１２、ハイライト表示・ナビ情報生成部１３、対象物判定部１４、現在位置判定部１５、映像物体位置測定部１８及び映像取得部１９は、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００３９】
１…ナビゲーションシステム装置、１０…本体、１１…表示部、１１Ａ…表示画面、１２…映像合成部、１３…ハイライト表示・ナビ情報生成部、１４…対象物判定部、１５…現在位置判定部、１６Ａ…ＧＰＳ、１６Ｂ…センサ、１７…記憶部、１７Ａ…対象物位置情報、１７Ｂ…対象物形状情報、１７Ｃ…対象物付帯情報、１７ａ…対象物形状情報、１７ｂ…対象物付帯情報、１８…映像物体位置測定部、１９…映像取得部、２０ａ、２０ｂ…カメラ、１１０Ａ…表示映像、１１０Ｂ…表示映像、１１０Ｃ…表示映像、１１１…ハイライト表示、１１１ａ…対象物、１１１ｂ…対象物、１１１ｃ…付帯情報、１１１ｄ…対象物、１１２…ナビ情報
【図１】
2010197209.tif 000003
【図２】
2010197209.tif 000004
【図３Ａ】
2010197209.tif 000005
【図３Ｂ】
2010197209.tif 000006
【図３Ｃ】
2010197209.tif 000007
【図４】
2010197209.tif 000008